(57)【特許請求の範囲】
【請求項１】
薬剤包装装置における片持ち梁状に支持された支持軸（２０）にその先端から差込み嵌合して着脱可能に取り付けられる、包装用又は印刷用テープが巻回された巻回ロール（１０）であって、
その軸心に上記支持軸（２０）が入る貫通孔（１１）を有し、その貫通孔（１１）の内面には軸方向に長い突条（１３）が形成されており、
上記支持軸（２０）は、棒状本体（２１）外面に、その軸方向に長い起伏片（２２）が上記片持ち梁状基部側で固定されて自身の前記本体（２１）径方向外側への弾性力でもって先端が起伏自在に設けられ、その起伏片（２２）の前記本体（２１）径方向外面の前記片持ち梁状基部側に一方の回り止め用突起（２３）、同片持ち梁状先端側に他方の回り止め用突起（２３’）及び抜け止め用突起（２４）がそれぞれ設けられ、その一方の回り止め用突起（２３）の前記片持ち梁状先端側部はその先端方向に尖った平面視三角形状となって、前記両回り止め用突起（２３、２３’）は前記軸方向の同一線上に位置しており、
その支持軸（２０）に上記巻回ロール（１０）が差込み嵌合されると、その巻回ロール（１０）は、上記両回り止め用突起（２３、２３’）が上記突条（１３）の側面に係止して空回り不能に支持されるとともに、抜け止め用突起（２４）が前記突条（１３）の上記片持ち梁状先端側端面（１３ａ）に係止して抜け止めされ、かつ、巻回ロール（１０）の交換時、その巻回ロール（１０）の引き抜き力又は差し込み力により前記抜け止め用突起（２４）が押されることによって前記起伏片（２２）が撓んで前記突条（１３）の移動を許容するものであることを特徴とする薬剤包装装置用テープ巻回ロール。
【請求項２】
薬剤包装装置における片持ち梁状に支持された支持軸（２０）に、その先端から包装用又は印刷用テープが巻回された巻回ロール（１０）を差込み嵌合して着脱可能に取り付けた前記支持軸への巻回ロールの取付構造であって、
上記巻回ロール（１０）は、その軸心に上記支持軸（２０）が入る貫通孔（１１）を有し、その貫通孔（１１）の内面には軸方向に長い突条（１３）が形成されており、
上記支持軸（２０）は、棒状本体（２１）外面に、その軸方向に長い起伏片（２２）が上記片持ち梁状基部側で固定されて自身の前記本体（２１）径方向外側への弾性力でもって先端が起伏自在に設けられ、その起伏片（２２）の前記本体（２１）径方向外面の前記片持ち梁状基部側に一方の回り止め用突起（２３）、同片持ち梁状先端側に他方の回り止め用突起（２３’）及び抜け止め用突起（２４）がそれぞれ設けられ、その一方の回り止め用突起（２３）の前記片持ち梁状先端側部はその先端方向に尖った平面視三角形状となって、前記両回り止め用突起（２３、２３’）は前記軸方向の同一線上に位置しており、
その支持軸（２０）に上記巻回ロール（１０）が差込み嵌合されると、その巻回ロール（１０）は、上記両回り止め用突起（２３、２３’）が上記突条（１３）の側面に係止して空回り不能に支持されるとともに、抜け止め用突起（２４）が前記突条（１３）の上記片持ち梁状先端側端面（１３ａ）に係止して抜け止めされ、かつ、巻回ロール（１０）の交換時、その巻回ロール（１０）の引き抜き力又は差し込み力により前記抜け止め用突起（２４）が押されることによって前記起伏片（２２）が撓んで前記突条（１３）の移動を許容するものであることを特徴とする薬剤包装装置における巻回ロールの取付構造。
【請求項３】
上記支持軸（２０）の棒状本体（２１）及び起伏片（２２）は合成樹脂からなっており、上記貫通孔（１１）を形成する巻回ロール（１０）の芯（１１）にその巻回ロール（１０）の仕様や上記包装用又は印刷用テープ（１２）の種類等の情報を記録させたＩＣタグ（４０）を取付けたことを特徴とする請求項１に記載の薬剤包装装置用テープ巻回ロール。
【請求項４】
上記支持軸（２０）の棒状本体（２１）及び起伏片（２２）は合成樹脂からなっており、上記貫通孔（１１）を形成する巻回ロール（１０）の芯（１１）にその巻回ロール（１０）の仕様や上記包装用又は印刷用テープ（１２）の種類等の情報を記録させたＩＣタグ（４０）を取付けるとともに、前記情報の受け渡しセンサ（４１）を有することを特徴とする請求項２に記載の薬剤包装装置における巻回ロールの取付構造。
【発明の詳細な説明】
【技術分野】
【０００１】
この発明は、錠剤や散薬等の薬剤を処方箋に基づいて１回服用分（１包分）づつ包装して連続した薬包を行う薬剤包装装置において、その包装袋用巻回ロール又はその包装袋に印刷するための印刷用巻回ロール、及びその支持軸、並びにその支持軸への巻回ロールの取付構造に関するものである。
【背景技術】
【０００２】
この種の薬剤包装装置は、例えば、この発明の一実施形態を示す図１、図２及び図５を参照して説明すると、コントロールパネルＱの操作によって、錠剤供給ユニットＵ１、散薬供給ユニットＵ２から処方箋に基づいて１包分の薬剤が包装部ＡのホッパＨに順々に落下されて送り込まれる。その包装部Ａにおいては、ロールＴから包装袋用テープ（シート）ｔを繰り出し、印刷部Ｐでその繰り出された包装袋用テープｔに患者名や投薬日時等の必要な情報を印刷した後、包装袋用テープｔを２つ折りの状態から展開して開口し、この開口に、ホッパＨから前記１包分の薬剤が送り込まれ、つづいて、ヒートシール部Ｂにおいて薬剤を閉じ込めるように包装袋用テープｔをシール（熱融着）して１回服用分づつ包装して払い出される（特許文献１  段落０００２〜同０００４、同００２４、同００４１〜００６８  図１、図１２等参照）。
【０００３】
その包装印刷機構（包装部Ａ、印刷部Ｐ）において、包装用テープｔや印刷用テープ１２はそれらの巻回ロールＴ、１０から供給され（繰り出され）、その巻回ロールＴ、１０は、通常、片持ち梁状に支持された水平の支持軸にその先端側から差込み嵌合して脱着可能に取付けられる。
例えば、印刷用テープ巻回ロール１０は、図５に示すように、その筒状芯（リール）１１の外面に印刷用テープ（カーボンテープ、リボンテープ）１２を巻回し、芯（貫通孔）１１の内周面全周にその軸方向に長い複数の突条１３を等間隔で形成した構成であり、一方、支持軸は、その突条１３に係止する回転阻止用突起と抜け止め用突起を外面に設けたものである。
【０００４】
その従来の支持軸３０は、図１０ａ〜図１０ｄに示すように、金属製円柱状支持軸本体３１外面に、その軸方向に長い起伏片３２を基部側でビス３２ａ止めして設けるとともに、その支持軸本体３１の中程に金属製ばね３３ａでもって出没自在の金属製突起３３を設けた構成である。
この支持軸３０は、図１１に示すように、その先端から巻回ロール１０を差込むと（同図矢印方向）、その出没自在の突起３３が巻回ロール１０の突条１３、１３の間に係止して支持軸３０に対する巻回ロール１０の回り止め（空回り止め）をするとともに（同図（ｂ）参照）、起伏片３２の先端突起３４が突条１３の先端端面に係止して巻回ロール１０の支持軸３０からの抜け止めを行う（同図反矢印方向に移動しないようにする）。
【０００５】
なお、巻回ロール１０は、図２、図３に示すように、インクカ−トリッジＣの内部に収納されてインクカ−トリッジＣの交換によって取り替え自在とされたり、図９に示すように、単独で、支持軸に脱着自在にセットされて取り替え自在とされたりしている。また、巻回ロール１０の突条１３は、筒状芯（リール）１１の長さ方向の中心軸（軸心に対する直交軸）に対して左右対称に形成されて、巻回ロール１０の左右どちらの側から支持軸３０に差し込まれても、支持軸３０に対して巻回ロール１０が定位置にセットされるようになっており、その差し込みを円滑にするために、突条１３の両端部は中央に向かって上り傾斜面１３ａとなっている（図６、図１１参照）。
支持軸３０は、通常、図１０ｄに示すように、その本体３１の基部に軸心上の孔３５が形成され、図１１（ａ）に示すように、薬剤包装装置のフレームＦの支軸Ｓにその孔３５
を介し差込まれ、ビス３６でもって固定される。
【先行技術文献】
【特許文献】
【０００６】
【特許文献１】特開２００８−２７３６２４号公報
【特許文献２】特開２００７−２１６４８５号公報
【発明の概要】
【発明が解決しようとする課題】
【０００７】
従来の支持軸３０は、巻回ロール１０の回転止めを突起３３によって行っており、この突起３３及びばね３３ａの構造は、そのばね収納用孔の形成やその孔への突起３３及びばね３３ａの装填作業が煩雑であり、コストアップの要因となっている。今日のコストダウンの要請から、この種の支持軸３０にもコストダウンが望まれる。
また、回り止め用突起３３は円柱状でその先端部は半球状であり、巻回ロール１０を支持軸３０に差し込む際、その突起３３の軸心と上記突条１３の軸心が直交すると、突条１３の先端部傾斜面１３ａと突起３３の先端部球面が突き当たって、突条１３が突起３３を乗り越えず、それ以上の巻回ロール１０を差し込めない不都合が生じる場合があった。
さらに、近年、ＩＣタグによって巻回ロール１０の種類等を記録することが行われるようになっており、その際、ＩＣタグは、電磁界や電波などを用いた無線通信によって情報をやり取りするため、金属はそのやり取りの障害となり、合成樹脂製等のその無線通信に影響のない材質への変更を要求されている。
【０００８】
この発明は、以上の実状の下、支持軸のコストダウンを図ることを第１の課題とし、ＩＣタグが設けられても支障がないようにすることを第２の課題とする。
【課題を解決するための手段】
【０００９】
上記第１の課題を達成するために、この発明は、まず、支持軸側の突起自身が撓めば、巻回ロールの抜き差しを許容できることに着目し、巻回ロールの抜け止めを行なう突起を弾性体等で形成して起伏自在なものとしたのである。
このように、突起が起伏自在であれば、巻回ロールを支持軸に差し込んだり、引き抜いたりする際、その差し込み力又は引き抜き力に伴い突起が伏してその差し込み又は引き抜きを許容する。
【００１０】
つぎに、この発明は、巻回ロールの差し込み方向に対してその突条に接する突起の側面が徐々に遠ざかる傾斜面となっておれば、巻回ロールの差し込みに伴って巻回ロールの突条のその傾斜面に沿って摺動（移動）することに着目し、巻回ロールの空回り止めを行なう突起の巻回ロール差し込み時に当接する端部をその差し込み反対方向に尖った平面視三角形状としたのである。
このように、突起端部を差し込み反対方向に尖った平面視三角形状とすると、巻回ロールの差し込みに伴って巻回ロールの突条のその三角形状突起側面（傾斜面）への摺動によって突起が突条の側面に当接するように案内されるため、その傾斜面と突条との摺動でもって支持軸と巻回ロールが相対的に回転し、その突起は突条の側面に当接して巻回ロールの空回り防止機能を発揮するようになる。
【００１１】
この発明の一構成としては、薬剤包装装置における包装袋用テープ又は印刷用テープの巻回ロールの支持軸であって、巻回ロールはその軸心に支持軸が入る貫通孔を有し、その貫通孔の内面には軸方向に長い突条が形成されており、片持ち梁状に支持されてその先端から貫通孔を介して巻回ロールが嵌められてその巻回ロールを空回り不能にかつ抜け止めして支持する支持軸において、棒状本体外面に、その軸方向に長い起伏片を片持ち梁状基部側で固定して自身の前記本体径方向外側への弾性力でもって先端を起伏自在に設け、そ
の起伏片の前記本体径方向外面の片持ち梁状基部側に一方の突起、同片持ち梁状先端側に他方の突起をそれぞれ設け、その一方の突起の片持ち梁状先端側部はその先端方向に尖った平面視三角形状となっており、一方の突起を突条の側面に係止して巻回ロールを空回り不能に支持するとともに、他方の突起を前記突条の片持ち梁状先端側端面に係止して巻回ロールの抜け止めを行い、かつ、巻回ロール交換時のその巻回ロールの引き抜き力又は差し込み力により他方の突起が押されることによって起伏片が撓んで突条の移動を許容する構成を採用することができる。
【００１２】
この構成の支持軸は、従来と同様に、その先端から巻回ロールを差込むと、起伏片外面の一方の突起が上記突条の側面に係止して支持軸と巻回ロールを空回り不能に支持するとともに、起伏片外面の他方の突起が前記突条の先端端面に係止して巻回ロールの支持軸からの抜け止めを行う。このため、巻回ロールのテープ繰り出し時における回転中は、起伏片の起伏力（弾性力）でもって、両突起と突条の係止が維持されて、支持軸に対する巻回ロールの空回り及び抜け止めが行われる。一方、巻回ロールを支持軸の軸方向に引き抜くと、起伏片が内側に撓んで（倒伏して）他方の突起と突条の係止が解除されて巻回ロールが支持軸から引き抜かれ得る。
【００１３】
また、この発明の他の構成としては、薬剤包装装置における包装袋用テープ又は印刷用テープの巻回ロールの支持軸であって、巻回ロールはその軸心に支持軸が入る貫通孔を有し、その貫通孔の内面には軸方向に長い突条が形成されており、片持ち梁状に支持されてその先端から貫通孔を介して巻回ロールが嵌められてその巻回ロールを空回り不能にかつ抜け止めして支持する支持軸において、棒状本体外面の片持ち梁状基部側に一方の突起、同片持ち梁状先端側に他方の突起をそれぞれ設け、その一方の突起の片持ち梁状先端側部はその先端方向に尖った平面視三角形状となっており、他方の突起は、弾性体からなって自身の撓みでもって起伏自在なものであり、一方の突起を突条の側面に係止して巻回ロールを空回り不能に支持するとともに、他方の突起を突条の片持ち梁状先端側端面に係止して巻回ロールの抜け止めを行い、かつ、巻回ロール交換時のその巻回ロールの引き抜き力によって、他方の突起が撓んで突条の移動を許容してその他方の突起と突条の先端端面の係止が解除される構成を採用することができる。
【００１４】
この構成の支持軸は、従来と同様に、その先端から巻回ロールを差込むと、一方の突起が上記突条の側面に係止して支持軸と巻回ロールを空回り不能に支持するとともに、他方の突起が前記突条の先端端面に係止して巻回ロールの支持軸からの抜け止めを行う。このとき、巻回ロールのテープ繰り出し時における回転中は、他方の突起にはその回転力は余り加わらないため、その突起は撓むことがなく、また、仮に撓んでも、通常、巻回ロールが抜け出る程度には撓むことはない。このため、他方の突起によって巻回ロールの抜け止めは担保される。一方、巻回ロールを支持軸の軸方向に引き抜いてその引き抜き力で他方の突起を撓ますと、その突起と突条の係止が解除されて巻回ロールが支持軸から引き抜かれ得る。
【００１５】
この両構成において、抜け止め用突起（他方の突起）の差し込み時の当接面又は引き抜き時の当接面はその方向の反対方向に向かう上がり傾斜とすれば、巻回ロールの差し込み又は引き抜きに伴って巻回ロールの内面（突条）が徐々にその傾斜面に乗り上がって突起を撓ます（起伏させる）こととなるため、その差し込み又は引き抜きが円滑となる。
また、上記空回り防止用突起（一方の突起）の片持ち梁状先端側部をその片持ち梁状基部側に向かう上り傾斜面とすれば、その傾斜面を突条が円滑に乗り上がるため、巻回ロールの差し込みを円滑に行なうことができる。
なお、上記「平面視三角形状」が「平面視２等辺三角形状」であると、その平面視の左右の傾斜面の傾斜角度が同じとなるため、一方の突起と巻回ロールの突条との摺動度合がその左右で同じとなって突起が突条の側面に当接する案内にムラが無くなる。
【００１６】
因みに、従来から、図１０ａに示す起伏片３２は合成樹脂の成型品であって、前記ばね３３ａや突起３３が金属製であることから、それらの金属製部品の機能を合成樹脂成型品の起伏片と一体の一方の突起によって代用することにより金属部品はなくなって上記第２の課題を達成することができる。
また、上記突条の側面に係止して巻回ロールを空回り不能に支持する（空回り防止用）突起を上記片持ち梁状先端側にも設けることができる。
このように、巻回ロールを空回り不能に支持する突起を片持ち梁状長さ方向の両側に設ければ、その巻回ロールの支持が安定する。特に、両突起が支持軸のできるだけ両端近くに位置すれば、その支持もより安定する。この両突起を上記起伏片に設けた場合、一方の突起は起伏片の起伏しない基部側に、他方の突起は起伏する先端側に位置することとなる（図４ａの実施形態参照）。
【００１７】
これらの構成において、上記各突起は、上記支持軸本体外面の軸心に対する対称位置にそれぞれ設ければ、巻回ロールの空回り止め及び抜け止めをさらに確実に行うことができるうえに、対称位置の突起又は起伏片等による弾性力によって（スプリング効果によって）巻回ロールの位置決めがなされてその芯出しが自動的に行われて固定（ロック）される。
また、突起や起伏片を合成樹脂の成型品や木製等として、電磁界や電波などを用いた無線通信に影響のない材質製とすれば、ＩＣタグによる情報伝達に支障がないものとして上記第２の課題を達成することができる。このとき、支持軸、起伏片以外の部材はその情報伝達に支障がない限り、例えば、上記ビス３６などは金属製とし得る。合成樹脂成型品は、量産化が容易でコストダウンを図り得るとともに、再資源化も容易である。
上記各支持軸の構成において、当該支持軸にその先端から差込み嵌合して着脱可能に取り付けられるテープが巻回された巻回ロール、又はその支持軸への巻回ロールの取付構造にあっては、その巻回ロールはその軸心に前記支持軸が入る貫通孔を有し、その貫通孔の内面には軸方向に長い突条が形成されたものとし、その支持軸に巻回ロールが差込み嵌合されると、
その巻回ロールは、一方の突起が突条の側面に係止して空回り不能に支持されるとともに、他方の突起が前記突条の片持ち梁状先端側端面に係止して抜け止めされ、かつ、巻回ロールの交換時、その巻回ロールの引き抜き力又は差し込み力により前記他方の突起が押されることによって上記起伏片が撓んで前記突条の移動を許容するものであったり、
その巻回ロールは、上記一方の突起が上記突条の側面に係止して空回り不能に支持されるとともに、他方の突起が前記突条の上記片持ち梁状先端側端面に係止して抜け止めされ、かつ、巻回ロールの交換時、その巻回ロールの引き抜き力又は差し込み力によって、前記他方の突起が撓んで前記突条の移動を許容するものであったりするものとする。
【発明の効果】
【００１８】
この発明は、以上のように、支持軸又はその支持軸への巻回ロールの取付構造において、巻回ロールの抜け止め用突起を弾性体で形成したり、起伏片に形成したりしたので、その機構が簡単であってコスト的に安価なものとし得る。また、空回り止め用突起端部を平面視三角形状としたので、その突起を巻回ロールの突条側面に円滑に当接し得てその空回り防止機能を有効に発揮し得るものとすることができるとともに、巻回ロールを円滑に差し込み得る。さらに、合成樹脂製化等も容易であって、ＩＣタグの使用においても有利なものとし得る。
また、そのような支持軸に対応する巻回ロールとし得る。
【図面の簡単な説明】
【００１９】
【図１】この発明の一実施形態を採用した薬剤包装装置の一例の概略斜視図
【図２】同実施形態の要部斜視図
【図３】図２の巻回ロール収納インクカートリッジを取り外した要部拡大図
【図４ａ】同実施形態の支持軸の斜視図
【図４ｂ】同平面図
【図４ｃ】（ａ）は正面図、（ｂ）は（ａ）のＸ―Ｘ線断面図
【図４ｄ】同切断正面図
【図５】同実施形態の巻回ロールを示し、（ａ）は斜視図、（ｂ）は右側面図、（ｃ）は切断正面図
【図６】同実施形態の支持軸に巻回ロールを嵌めた状態を示し、（ａ）は切断正面図、（ｂ）は右側面図
【図７】他の実施形態を示し、（ａ）は斜視図、（ｂ）は切断正面図
【図８】他の実施形態の斜視図
【図９】薬剤包装装置の他例の概略斜視図
【図１０ａ】従来の支持軸の斜視図
【図１０ｂ】同平面図
【図１０ｃ】（ａ）は正面図、（ｂ）は（ａ）のＸ―Ｘ線断面図
【図１０ｄ】同切断正面図
【図１１】同支持軸に巻回ロールを嵌めた状態を示し、（ａ）は切断正面図、（ｂ）は右側面図
【発明を実施するための形態】
【００２０】
この実施形態は、図１に示す薬剤包装装置に使用され、従来と同様に、図２、図３に示すように、インクカートリッジ（リボンカセット）Ｃ内に印刷用テープ（インクリボン）１２の巻回ロール１０（芯１１）が装着され、そのインクカートリッジＣが上下２本の支持軸（プリンタ軸）２０、２０に嵌められることによって前記巻回ロール１０がセットされる。インクカートリッジＣには、巻き出し側と巻き取り側のロール１０（芯１１）が装填され、繰り出し側から印刷用テープ１２をインクカートリッジＣ前面に引き出して巻き取り側のロール１０（芯１１）に巻き取ることによってその前面に常に新しいテープ１２が繰り出されて印刷される。その印刷機構及びその作用、インクカートリッジＣへの巻回ロール１０の交換機構及びその作用は従来と同様である（特許文献１段落００５７、特許文献２段落００３３、図１、図２等参照）。
【００２１】
この発明は、そのインクカートリッジＣが装着される支持軸が特徴であって、図４ａ〜図４ｄに示す一実施形態の支持軸２０は、例えば、ポリアセタール等の合成樹脂成型品である支持軸本体２１外面に、同じくポリアセタール等の合成樹脂成型品の軸方向に長い起伏片２２を支持軸基部側で合成樹脂製ビス２２ａでもって固定して設けたものである。この固定された起伏片２２は、自身の内外（支持軸径方向）への弾性力でもって先端が起伏自在である。
【００２２】
その起伏片２２の外面両端にそれぞれ突起２３、２３’が同一線上に形成され、起伏片２２の先端は膨出して突部（突起）２４となっており、その突部２４は正面視断面三角形状とされている。突起２３、２３’の向き合う側の端部は、その先端方向に尖った（頂点鋭角の）平面視２等辺三角形状となっているとともに先端反対方向に向かう上り傾斜面２３ａ、２３ａ’となっている。また、突起２４は、支持軸２０の片持ち梁状に取付けられた際（図３参照）のその片持ち梁状先端側端部が巻回ロール１０を差し込む際の突条１３の先端下り傾斜面１３ａに沿う片持ち梁状基部側に向かう上り傾斜面（図４ｃにおける突起２４の右側斜面）２４ｂとなっている。
この起伏片２２は、軸心に対する対称位置に２つ設けられている。この数は任意であり、例えば、一つでも三つ以上でもよい。このとき、各起伏片２２は本体２１周囲等間隔に設けることが好ましい。
【００２３】
この支持軸２０は、従来と同様に、図４ｄに示すように、その本体２１の基部に軸心上の孔２５が形成され、図６（ａ）に示すように、従来と同様に、薬剤包装装置のフレームＦの支軸Ｓにその孔２５を介し差込まれ、合成樹脂製ビス２６でもって固定される。
【００２４】
この支持軸２０に、図６（ａ）矢印に示すように、その先端から巻回ロール１０を差込むと（インクカ−トリッジＣを嵌めると）、起伏片２２が図４ｄ鎖線のように内側に撓んで巻回ロール１０の差込みを許容する。この差込み時、突起２４の先端が突条１３に当ってもその傾斜面２４ｂでもって起伏片２２の内側への撓みが円滑になされ、同時に、突起２３’も内側に撓むため、その差し込みは円滑に行なうことができる。このため、突起２３の上り傾斜面２３ａに相当する突起２３’の傾斜面は突起２４の傾斜面２４ｂが担うこととなる。
【００２５】
さらに、突条１３が突起２３に当たると、突条１３はその端傾斜面１３ａが突起２３の２等辺三角形状傾斜面２３ａの上り傾斜状上面を乗り上がりつつ進行し、その進行につれて、突起２３は２等辺三角形状傾斜面２３ａの側面でもって突条１３、１３の間に円滑に
案内されるため、支持軸２０と巻回ロール１０が相対的に回転して突起２３、２３’が突条１３、１３の間に導かれ、図６鎖線のように起伏片２２が自身の弾力でもって復帰する。すなわち、支持軸２０に対する巻回ロール１０の周方向の位置決めが自動的になされるとともに、軸心対称の２つの起伏片２２でもってその位置決め作用がなされるため、調心も行なわれる。
【００２６】
このとき、２つの突起２３、２３’でもって、巻回ロール１０の周方向の位置決め（回り止め）が行なわれるため、その作用が長期に亘って安定して行なわれるとともに確実である。特に、突起２３は、合成樹脂製の剛体であって、起伏片２２の起伏しない（固定の）基部に位置するため、その作用は確実となる。また、突起２３、２３’は支持軸の軸方向に長くなっているため、上記従来の円柱状突起３３に比べれば巻回ロール１０を安定して支持する。
【００２７】
このように、インクカ−トリッジＣが所要位置にセットされると（巻回ロール１０が支持軸２０に確実に差込まれると）、その軸方向前後の突起２３、２３’が突条１３、１３の間に嵌まるとともに、先端の突起２４が突条１３の先端端面１３ａに係止することにより、支持軸２０に対する巻回ロール１０の芯出しが自動的に行なわれ、インクカ−トリッジＣ（巻回ロール１０）が抜け止めされるとともに、巻回ロール１０の空回り止め（一体化）がなされる。
【００２８】
このため、図２のインクカートリッジＣのセット状態において、従来と同様の薬剤包装装置の操作に伴い、薬剤の包装が行われるとともに、インクカートリッジＣから新しいテープ１２が円滑に繰り出されてそのテープ１２に熱転写による服用日時等の印刷がなされる。
一方、インクカートリッジＣ内の繰り出し側巻回ロール１０のテープ１２が終端近くになれば、その旨がランプ等によって表示され、作業者は、薬剤包装装置の操作（調剤）を一時停止して、インクカートリッジＣを取り替える。その際、そのインクカ−トリッジＣ（巻回ロール１０）の支持軸２０の軸方向外側（先端側）への引き抜き力によって、図４ｄの実線から鎖線のように、起伏片２２が軸心側に撓んで突起２４と突条１３先端端面１３ａとの係止を解除し、巻回ロール１０（インクカ−トリッジＣ）の軸方向外側への移動を許容する（図６（ａ）参照）。このとき、起伏片２２の突起２４の係止面（図４ｃ（ａ）における突起２４の左側斜面）２４ａと突条１３の先端係止（傾斜）面１３ａの軸心方向外側に向く（図６（ａ）の下方の突条１３において右下がり）傾斜でもってその移動は円滑になされる。
【００２９】
他の実施形態を図７（ａ）、（ｂ）及び図８に示し、図７（ａ）、（ｂ）の実施形態は、基部側の突起２３を本体２１と一体に成形し、先端側の突起２３’及び突起２４をシリコンなどのゴム等の弾性体によって形成したものである。この突起２３’、２４は、接着、溶着等によって支持軸本体２１に固着する。
この実施形態の支持軸２０も、薬剤包装装置のフレームＦの支軸Ｓにその孔２５を介し差込まれ、合成樹脂製ビス２６でもって固定される（図６参照）。
【００３０】
この支持軸２０に、その先端から巻回ロール１０を差込むと、その差し込み力によって図７（ｂ）の一点鎖線で示すように突起２３’、２４がその差し込み方向に撓んで巻回ロール１０の差し込みを許容する。また、同様に、突起２３の２等辺三角形状傾斜面２３ａでもって、その突起２３が突条１３、１３の間に円滑に案内され、支持軸２０と巻回ロール１０が相対的に回転して突起２３、２３’を突条１３、１３の間に導き、やがて、図７（ｂ）の一点鎖線から実線で示すように、突起２３’、２４が自身の弾力でもって復帰し、突起２３，２３’２４によって巻回ロール１０の回り止めと抜け止めが成される。
【００３１】
一方、巻回ロール１０を引き抜くと、その引き抜き力によって、同様に、突起２４が図７（ｂ）の実線から二点鎖線で示すように撓んでその引き抜きを許容する。
この実施形態において、図８に示すように、突起２３’と突起２４は離したものとし得る。このとき、突起２３’の突起２４側（図８において右側）の端部も反対側（同左側）の端部と同様に２等辺三角形状傾斜面として、巻回ロール１０の差し込み時に突条１３がその突起２３’を円滑に乗り越えるようにすることが好ましい。この突起２３’を突起２４から離す態様は、上記図４ａの実施形態においても採用できる。因みに、突起２３’と突起２４が図４ａ、図７（ａ）のように連結している（一体である）と、突起２４の倒伏（撓み）に伴って突起２３’も倒伏する（撓む）ため、突条１３が突起２３’を乗り越えやすい利点がある。
【００３２】
図５鎖線に示すように、巻回ロール１０の仕様やテープ１２の種類等の情報を記録させたＩＣタグ４０を芯１１の中程に取付け、図３の鎖線で示すように、支持軸本体２１内にその情報受け渡しセンサ４１を設けたところ、支持軸本体２１、起伏片２２、ビス２２ａを合成樹脂製等としたので、そのＩＣタグ４０とセンサ４１の電磁界や電波による無線通信に何らの支障も生じなかった。このとき、ビス２６が金属製であってもその無線通信に何らの支障がなかった。このことから、支持軸本体２１及び起伏片２２を少なくとも合成樹脂製等の無線通信に支障がない材質とし、ＩＣタグ４０とセンサ４１の位置によってその無線通信に支障がない位置の部材については、適宜に、例えば、ビス２６等は合成樹脂製としなくても良いことが分かる。
このことから、ＩＣタグ４０とセンサ４１の位置が任意であり、その位置によって合成樹脂等とする部品も適宜に選択する。また、インクカ−トリッジＣの場合、ＩＣタグ４０はそのインクカ−トリッジＣの筐体に取付ける。一方、センサ４１は、フレームＦ側等に取付けることもできる。
因みに、図１０の従来の支持軸３０においては、その本体３１、起伏片３２を合成樹脂製としても、突起３３及びばね３３ａが金属製であることから、ＩＣタグ４０による通信において障害が生じた。
【００３３】
上記実施形態は、インクカートリッジＣに巻回ロール１０を装填する場合であったが、この発明は、図９に示すように、支持軸２０に巻回ロール１０を直に脱着する態様においても採用し得ることができ、また、包装用テープｔの巻回ロールＴにおいても採用でき、さらに、他の薬剤包装装置の各種のテープ巻回ロールの支持軸に採用できることは勿論である。また、回り止め用突起２３、２３’は、支障がない限りにおいて一方を省略することができる。例えば、基部側の突起２３のみとし得る。
このように、この発明の範囲は、上記実施の形態に限定されず、特許請求の範囲によって示され、特許請求の範囲と均等の意味および範囲内でのすべての変更が含まれることが意図される。
因みに、この発明の支持軸２０は、薬剤包装装置に限らず、他の種々の装置（機械）において、例えば、梱包装置等において、紐や各種のテープを自動送り出しする巻回ロールの支持に採用し得る。
【符号の説明】
【００３４】
Ａ  包装部
Ｂ  ヒートシール部
Ｃ  インクカ−トリッジ
Ｐ  印刷部
Ｔ  包装袋用テープ巻回ロール
ｔ  包装袋用テープ（シート）
１０  印刷用テープ巻回ロール
１１  印刷用テープ巻回ロール芯
１２  印刷用テープ
１３  巻回ロールの突条
２０  巻回ロール支持軸
２１  支持軸本体
２２  起伏片
２３、２３’  突条１３側面との係止用突起
２４  突条１３先端との係止用突起
【図１】
0006032304.tif 000002
【図２】
0006032304.tif 000003
【図３】
0006032304.tif 000004
【図４ａ】
0006032304.tif 000005
【図４ｂ】
0006032304.tif 000006
【図４ｃ】
0006032304.tif 000007
【図４ｄ】
0006032304.tif 000008
【図５】
0006032304.tif 000009
【図６】
0006032304.tif 000010
【図７】
0006032304.tif 000011
【図８】
0006032304.tif 000012
【図９】
0006032304.tif 000013
【図１０ａ】
0006032304.tif 000014
【図１０ｂ】
0006032304.tif 000015
【図１０ｃ】
0006032304.tif 000016
【図１０ｄ】
0006032304.tif 000017
【図１１】
0006032304.tif 000018